(57)【要約】【課題】簡単な構成により送信アンテナの切換制御を行い、また通信にかかる消費電流を低減させて通信時間の伸長及び電池容量の抑制を可能とすることで、端末の小型化、低コスト化が実現する無線通信装置等を提供する。【解決手段】第１受信部１０６、第２受信部１０７は、第１ＲＳＳＩ１４０、第２ＲＳＳＩ１５０を、それぞれ第１アンテナ１０１、第２アンテナ１０２から取得し、受信レベル情報としてＣＰＵ１１０へ送出する。ＣＰＵ１１０は、該情報に基づいて送信アンテナとして適当なアンテナを選択する判定を行い、判定結果として送信アンテナ制御信号１６０を生成し、アンテナスイッチ１０３へ送出する。アンテナスイッチ１０３は、該制御信号に従って送信アンテナの切換動作を行う。【選択図】図１
2008042582.tif 000002
【特許請求の範囲】
【請求項１】
データ送受信兼用のアンテナと、
前記アンテナからの受信信号に関する受信レベル情報を取得する受信手段と、
前記受信手段により取得された受信レベル情報に基づき、データ送信に用いる送信アンテナの切換えについて判定を行い、該判定の結果として切換制御信号を生成する制御手段と、
前記制御手段により生成された切換制御信号に基づいて前記送信アンテナを切り換える切換手段とを有する無線通信装置であって、
前記切換手段は、前記送信アンテナの切換えを行うとともに前記受信手段の切換えを行い、かつ、前記受信手段と前記アンテナとが重複せずに１対１で接続するように同時に切り換えることを特徴とする無線通信装置。
【請求項２】
前記受信手段は、第１受信手段及び第２受信手段を有し、
前記切換手段は、データ送受信を行い前記第１受信手段を含んで構成される第１ブランチと、データ受信のみを行い前記第２受信手段を含んで構成される第２ブランチとが同一の前記アンテナに重複して接続しないように、前記切換制御信号に基づいて同時に切り換えることを特徴とする請求項１に記載の無線通信装置。
【請求項３】
前記制御手段は、前記受信レベル情報同士の差の値と既定値との比較により、一定時間ごとに前記送信アンテナの切換えについて判定を行うことを特徴とする請求項１又は２に記載の無線通信装置。
【請求項４】
前記制御手段は、前記受信レベル情報又は／及び前記差の値が既定値を下回ったときにいずれかの前記アンテナに固定する判定を行うことを特徴とする請求項３に記載の無線通信装置。
【請求項５】
前記制御手段は、前記受信レベル情報又は／及び前記差の値が既定値を下回ったときに前記送信アンテナの切換動作を一時的に中止する判定を行うことを特徴とする請求項３に記載の無線通信装置。
【請求項６】
前記受信レベル情報は、ＲＳＣＰ、ＲＳＳＩ、ＳＩＲ、若しくはＥＣ／Ｎ、又はそれらの組み合わせであることを特徴とする請求項１から５のいずれか１項に記載の無線通信装置。
【請求項７】
データ送受信兼用のアンテナと、受信レベル情報を取得する受信手段とを備える無線通信装置の送信アンテナ切換制御方法であって、
前記アンテナからの受信信号に関する受信レベル情報を取得する受信工程と、
前記受信工程により取得された受信レベル情報に基づき、データ送信に用いる送信アンテナの切換えについて判定を行い、該判定の結果として切換制御信号を生成する制御工程と、
前記制御工程により生成された切換制御信号に基づいて前記送信アンテナを切り換える切換工程とを有し、
前記切換工程は、前記送信アンテナの切換えを行うとともに前記受信手段の切換えを行い、かつ、前記受信手段と前記アンテナとが重複せずに１対１で接続するように同時に切り換えることを特徴とする無線通信装置の送信アンテナ切換制御方法。
【請求項８】
前記受信手段は、第１受信手段及び第２受信手段を有し、
前記切換工程は、データ送受信を行い前記第１受信手段を含んで構成される第１ブランチと、データ受信のみを行い前記第２受信手段を含んで構成される第２ブランチとが同一の前記アンテナに重複して接続しないように、前記切換制御信号に基づいて同時に切り換えることを特徴とする請求項７に記載の無線通信装置の送信アンテナ切換制御方法。
【請求項９】
前記制御工程は、前記受信レベル情報同士の差の値と既定値との比較により、一定時間ごとに前記送信アンテナの切換えについて判定を行うことを特徴とする請求項７又は８に記載の無線通信装置の送信アンテナ切換制御方法。
【請求項１０】
前記制御工程は、前記受信レベル情報又は／及び前記差の値が既定値を下回ったときにいずれかの前記アンテナに固定する判定を行うことを特徴とする請求項９に記載の無線通信装置の送信アンテナ切換制御方法。
【請求項１１】
前記制御工程は、前記受信レベル情報又は／及び前記差の値が既定値を下回ったときに前記送信アンテナの切換動作を一時的に中止する判定を行うことを特徴とする請求項９に記載の無線通信装置の送信アンテナ切換制御方法。
【請求項１２】
前記受信レベル情報は、ＲＳＣＰ、ＲＳＳＩ、ＳＩＲ、若しくはＥＣ／Ｎ、又はそれらの組み合わせであることを特徴とする請求項７から１１のいずれか１項に記載の無線通信装置の送信アンテナ切換制御方法。
【発明の詳細な説明】
【技術分野】
【０００１】
本発明は、無線通信装置及びその送信アンテナ切換制御方法に関し、特に、携帯電話機等の移動体通信用の無線通信装置において通信効率の良好な送信アンテナへ随時切り換える技術に関するものである。
【背景技術】
【０００２】
一般に、移動端末は手に持って操作される等ハンドヘルドの状態にあることが多く、そのため人体や金属物が近づく可能性が高い。また、アンテナ効率は周辺環境の変化に敏感なため、従来、アンテナを２本備えてダイバーシチ受信し、片方のアンテナ効率が劣化しても別のアンテナ効率の劣化が少なくなるように配置することでアンテナ効率の劣化を補完する方法が取られてきた。
【０００３】
以下、従来の方法について説明する。図４は、ダイバーシチ受信機能を備える移動端末の構成を示したブロック図であり、受信動作及び送信動作は以下のとおりとなる。
【０００４】
＜受信動作＞
第１アンテナ４０１より受信したＲＦ（Radio Frequency）信号を、アンテナ共用器４０４を経由して第１受信部４０６にてベースバンド信号に変換する。また、第２アンテナ４０２より受信したＲＦ信号を、第２受信部４０７にてベースバンド信号に変換する。第１受信部４０６、第２受信部４０７は、それぞれ逆拡散部４０９にベースバンド信号を送り、逆拡散部４０９は逆拡散を行ってシンボルレート信号とする。そして、逆拡散部４０９はシンボルレート信号をＣＰＵ４１０に渡し、ＣＰＵ４１０は所要の処理を行うことができる。
【０００５】
＜送信動作＞
拡散部４０８は、ＣＰＵ４１０からのシンボルレート信号を拡散処理し、ベースバンド信号を生成して送信部４０５に渡す。送信部４０５は、ベースバンド信号からＲＦ信号を生成し、アンテナ共用器４０４を介して第１アンテナ４０１に供給する。
【０００６】
従来の構成及び方法は、図４に示すとおり、受信のみのダイバーシチであり、送信については配慮されていないものである。つまり、受信では、２本のアンテナを用いて信号の受信レベルが高くアンテナ効率の良い方を選択して通信を行うのに対し、送信については、１本のアンテナのみ利用しているためにアンテナ効率の劣化を補完できていない。
【０００７】
そして、昨今の上り通信速度の向上により信号１ビット当たりの電力が低下しているものの、所望の通信品質に必要なビット当たりの電力を確保するために、実使用時の送信電力は通信速度の向上に伴って上昇する傾向にある。しかし、送信電力が上昇すると消費電力が増えるため、所望の通信持続時間を確保するためには電池の容量を上げることで対処する必要がある。そうすると、コストアップ、サイズアップ、質量アップにつながり、ユーザビリティを損なうという問題が残る。
【０００８】
一方、移動通信端末の最大送信電力はコンダクトで規定されているので、送信電力が頭打ちとなり、さらに基地局とのパスロスが増加すれば、１ビット当たりの電力が低下し、通信に必要な１ビット当たりの電力が得られなくなり、通信品質が劣化することも懸念される。
【０００９】
これに対して、例えば特許文献１では、２つ以上の送受信可能なアンテナを備えた携帯無線装置において、例えば指がアンテナに近接して特性が著しく劣化する場合に受信レベルの高い方のアンテナを送信アンテナとして選択する携帯無線装置が提案されている。
【００１０】
また、例えば特許文献２では、伝送品質が過度に劣化することなく、送信に供されるブランチの切換えが行われる給電制御装置が開示されている。当該給電制御装置は、複数のブランチのうち、送信波の電力が分配されているある１つのブランチと、そのある１つのブランチに代わる特定のブランチとに対して、送信波の電力が配分される比率の変更を段階的に行う制御手段を有する。
【００１１】
また、例えば特許文献３では、送信モニタ出力回路規模を減少させることができるダイバーシチ装置が提案されている。当該ダイバーシチ装置では、各アンテナに設けられた複数のパワーアンプの一つによって送信信号が増幅され、送信される。
【００１２】
また、例えば特許文献４では、受信系回路を１系統に抑えつつダイバーシチ効果を得ることのできる無線通信装置が開示されている。当該無線通信装置では、２本のアンテナに対して受信系回路を１系統のみ備え、該回路から得られる指標値に基づいて受信状態の良好なアンテナを選択的に使用しながら送受信を行う。
【特許文献１】特開２００２−２６１６６５号公報
【特許文献２】特開２００５−３２３２０３号公報
【特許文献３】特開平９−２３１７７号公報
【特許文献４】特開２００４−７１４５号公報
【発明の開示】
【発明が解決しようとする課題】
【００１３】
先にも述べたとおり、通信速度の向上に関係した送信電力や消費電力の増加傾向は看過できないものである。なぜならば、電池の容量を増やすことによるコストアップやサイズアップなしに、ユーザが所望する通信持続時間を確保して、ユーザビリティを向上させることが求められるからである。
【００１４】
とはいうものの、複雑な構成をとる場合には、送信回路のロス増加による電流増加や、回路規模の増大によるコストアップ、サイズアップ、質量アップが発生することが十分考えられるため、上記の相反する要求に対応するためには新しい考え方が求められていた。
【００１５】
そこで、本発明は、簡単な構成により送信アンテナの切換制御を行い、また通信にかかる消費電流を低減させて通信時間の伸長及び電池容量の抑制を可能とすることで、端末の小型化、低コスト化が実現する無線通信装置等を提供することを目的とする。
【課題を解決するための手段】
【００１６】
かかる目的を達成するために、本発明は、データ送受信兼用のアンテナと、前記アンテナからの受信信号に関する受信レベル情報を取得する受信手段と、前記受信手段により取得された受信レベル情報に基づき、データ送信に用いる送信アンテナの切換えについて判定を行い、該判定の結果として切換制御信号を生成する制御手段と、前記制御手段により生成された切換制御信号に基づいて前記送信アンテナを切り換える切換手段とを有する無線通信装置であって、前記切換手段は、前記送信アンテナの切換えを行うとともに前記受信手段の切換えを行い、かつ、前記受信手段と前記アンテナとが重複せずに１対１で接続するように同時に切り換えることを特徴とする無線通信装置である。
【００１７】
本発明は、アンテナ、受信手段、制御手段、及び切換手段を構成として有する無線通信装置で、アンテナの受信レベル情報に基づき送信アンテナ切換えについて判定し適宜切換えを行うことにより、アンテナ効率の良好な通信を実現しようとするものである。また、送信アンテナを切り換える際に、受信手段の切換えを同時に行うことで、簡単な構成により送信アンテナの切換制御を行うものである。
【００１８】
受信手段は、例えばＲＳＳＩ等の受信レベル情報をアンテナから取得して制御手段へ送る。受信レベル情報を受けた制御手段は、該情報をもとにどのアンテナを送信アンテナとして選択するかについて判定を行い、判定結果として制御信号を生成して切換手段へ送出する。そして、制御信号を受けた切換手段は、該信号に従って送信アンテナの切換動作を行う。
【００１９】
また、受信手段は、例えば第１受信手段及び第２受信手段を有する。そして、第１受信手段を含んで構成される第１ブランチはデータ送受信を行い、前記第２受信手段を含んで構成される第２ブランチはデータ受信のみを行うとき、切換手段は、第１ブランチ及び第２ブランチが同一のアンテナに重複して接続しないように同時に切り換える。すなわち、データ送信も行う第１ブランチと、データ受信のみ行う第２ブランチとが別々のアンテナと同時に接続されるように切り換える。
【００２０】
上述したように、受信レベル情報に基づいて通信効率の良好な送信アンテナを選択して切り換える構成をとるため、消費電流を低減させるとともに上り通信性能を向上させることができる。また、消費電流の低減によって通信時間の長期化及び電池容量の抑制が可能となる。そして、簡単な構成による送信アンテナ切換えを実現できるため、端末の小型化や低コスト化が図られる。
【００２１】
また、本発明は、データ送受信兼用の複数のアンテナを備える無線通信装置の送信アンテナ切換制御方法で、前記アンテナからの受信信号に関する受信レベル情報を取得する受信工程と、前記受信工程により取得された受信レベル情報に基づき、データ送信に用いる送信アンテナの切換えについて判定を行い、該判定の結果として切換制御信号を生成する制御工程と、前記制御工程により生成された切換制御信号に基づいて前記送信アンテナを切り換える切換工程とを有する無線通信装置の送信アンテナ切換制御方法であって、前記切換工程は、前記送信アンテナの切換えを行うとともに前記受信手段の切換えを行い、かつ、前記受信手段と前記アンテナとが重複せずに１対１で接続するように同時に切り換えることを特徴とする無線通信装置の送信アンテナ切換制御方法であってもよい。
【発明の効果】
【００２２】
本発明によれば、簡単な構成により送信アンテナの切換制御を行い、また通信にかかる消費電流を低減させて通信時間の伸長及び電池容量の抑制を可能とすることで、端末の小型化、低コスト化が実現する無線通信装置等が提供される。
【発明を実施するための最良の形態】
【００２３】
それでは、図面を参照しながら、本発明の実施形態における無線通信装置について説明する。なお、本発明は、切換受信型（同時に２つのアンテナで受信せず、受信と送信を１つのアンテナで交互に切り換えるタイプ）のダイバーシチ受信無線機には適用されず、同時受信型のダイバーシチ受信無線機にて最適に実施される。後述する実施形態の無線通信装置も同時受信型のダイバーシチ受信機能を有する。
【００２４】
図１は、本実施形態の無線通信装置の構成を示したブロック図である。当該無線通信装置である移動端末１００は、第１アンテナ１０１、第２アンテナ１０２、アンテナスイッチ１０３、アンテナ共用器１０４、送信部１０５、第１受信部１０６、第２受信部１０７、拡散部１０８、逆拡散部１０９、及びＣＰＵ１１０から構成され、第１アンテナ１０１及び第２アンテナ１０２を介して基地局３００と無線により通信を行う。
【００２５】
各構成について説明する。アンテナスイッチ１０３は、ＣＰＵ１１０からの送信アンテナ制御信号１６０に基づいて、第１アンテナ１０１、第２アンテナ１０２のいずれかを選択して切り換える。アンテナ共用器１０４は、第１アンテナ１０１あるいは第２アンテナ１０２の一方を、送信及び受信に共用できるようにするための機器である。
【００２６】
送信部１０５は、データの送信を行い、例えば８００ＭＨｚ帯や１５００ＭＨｚ帯等における電波を発生させる。また、第１受信部１０６及び第２受信部１０７は、基地局３００からの電波を受信するための回路を備えている。
【００２７】
なお、移動端末１１０は、ブランチＡ１２０、ブランチＢ１３０の２ルートにより通信を行う。ブランチＡ１２０はアンテナ共用器１０４を介した送受信を行うルートであり、ブランチＢ１３０は第２受信部１０７と接続されておりデータ受信のみを行うルートである。
【００２８】
拡散部１０８は、拡散符号（ＰＮ（Pseudramdom Noise）符号）によりスペクトラム拡散を実行する。また、逆拡散部１０９は、拡散符号により逆スペクトラム拡散を実行する。ＣＰＵ１１０は、第１受信部１０６及び第２受信部１０７からの受信レベル情報に基づいて送信アンテナ切換えの判定を行い、判定結果を送信アンテナ制御信号１６０として生成する。
【００２９】
次に、本実施形態の無線通信装置における受信動作及び送信動作について説明する。
【００３０】
＜受信動作＞
第１アンテナ１０１及び第２アンテナ１０２より受信したＲＦ信号は、それぞれアンテナスイッチ１０３に入力される。アンテナスイッチ１０３は、ＣＰＵ１１０からの送信アンテナ制御信号１６０に従って、第１アンテナ１０１及び第２アンテナ１０２のそれぞれから受信したＲＦ信号を、ブランチＡ１２０、ブランチＢ１３０へ送出する。
【００３１】
ブランチＡ１２０へ送出されたＲＦ信号は、アンテナ共用器１０４を経由して第１受信部１０６にてベースバンド信号に変換される。また、ブランチＢ１３０へ送出されたＲＦ信号は、第２受信部１０７にてベースバンド信号に変換される。
【００３２】
そして、第１受信部１０６、第２受信部１０７は、それぞれ第１ＲＳＳＩ１４０、第２ＲＳＳＩ１５０をＣＰＵ１１０へ送出する。なお、第１ＲＳＳＩ１４０及び第２ＲＳＳＩ１５０は、受信信号強度表示信号（ＲＳＳＩ（Received Signal Strength Indicator））である。
【００３３】
また、第１受信部１０６、第２受信部１０７は、それぞれ逆拡散部１０９にベースバンド信号を送り、逆拡散部１０９は、逆拡散を行ってシンボルレート信号を生成する。そして、逆拡散部１０９は、シンボルレート信号をＣＰＵ１１０に渡し、ＣＰＵ１１０は所要の処理を行う。
【００３４】
＜送信動作＞
拡散部１０８は、ＣＰＵ１１０から送出されたシンボルレート信号を拡散処理し、ベースバンド信号を生成して送信部１０５に送出する。送信部１０５は、ベースバンド信号からＲＦ信号を生成し、アンテナ共用器１０４を介してブランチＡ１２０へ送る。アンテナスイッチ１０３は、ＣＰＵ１１０からの送信アンテナ制御信号１６０に従って、第１アンテナ１０１あるいは第２アンテナ１０２に供給する。
【００３５】
次に、本実施形態の無線通信装置におけるアンテナスイッチの動作制御について説明する。図２は、本実施形態の無線通信装置におけるアンテナスイッチの内部構成を示した図であり、図３は、具体的なスイッチ動作を表した表である。
【００３６】
アンテナスイッチ１０３は、第１ＳＷ２１０、第２ＳＷ２２０、第３ＳＷ２３０、第４ＳＷ２４０、及びスイッチコントロール部２００を内部に有している。
【００３７】
第１ＳＷ２１０から第４ＳＷ２４０は、ブランチＡ１２０やブランチＢ１３０を第１アンテナ１０１や第２アンテナ１０２に接続するための切換スイッチである。また、スイッチコントロール部２００は、ＣＰＵ１１０からの送信アンテナ制御信号１６０を取得し、該制御信号に従って第１アンテナ１０１及び第２アンテナ１０２とブランチＡ１２０及びブランチＢ１３０との間のパスを切り換える動作を行う。
【００３８】
具体的には、第１アンテナ１０１−ブランチＡ１２０と第２アンテナ１０２−ブランチＢ１３０のパス、若しくは、第１アンテナ１０１−ブランチＢ１３０と第２アンテナ１０２とブランチＡ１２０の２つのモード切換えを行う。
【００３９】
すなわち、図３に示すように、ブランチＡ１２０が第１アンテナ１０１を選択する場合は、送信アンテナ制御信号１６０に従って、第１ＳＷ２１０及び第４ＳＷ２４０をＯＮとし、第２ＳＷ２２０及び第３ＳＷ２３０をＯＦＦと動作させる。また、ブランチＡ１２０が第２アンテナ１０２を選択する場合は、制御信号に従って、第２ＳＷ２２０及び第３ＳＷ２３０をＯＮとし、第１ＳＷ２１０及び第４ＳＷ２４０をＯＦＦと動作させる。
【００４０】
上述した内部構成にてブランチを排他的に切り換える切換動作を行うことは、装置の小型化に資する。なぜなら、同時受信ダイバーシチ方式で送信アンテナ切換えを行うときに、上に述べたような内部構成にて切換動作を行わない場合には、送信の経路を切り換えるためのスイッチを送信部とアンテナ共用器との間に設け、アンテナ共用器を両ブランチ（第１受信部を含んで構成されるブランチと第２受信部を含んで構成されるブランチ）に配置する必要が生じるためである。
【００４１】
すなわち、図５に示すとおり、送信部５０５と第１アンテナ共用器５１１及び第２アンテナ共用器５１２との間に送信経路スイッチ５１３を設け、該スイッチにより送信アンテナの切換えを行う構成となり、アンテナ共用器が１つ多く必要となる。本発明（ブランチを排他的に切り換える構成）を用いずに、図４に示した従来の受信のみダイバーシチを、送信アンテナの切換えができるようにするためには、まず送信部にアンテナ切換えスイッチを接続する必要があり、そしていずれのアンテナと接続されても受信部と共用できるように共用器を準備しておかなければならないため、図５のような構成となってしまう。
【００４２】
次に、本実施形態の無線通信装置における送信アンテナの切換動作について説明する。
【００４３】
ＣＰＵ１１０は、第１受信部１０６からの第１ＲＳＳＩ１４０、第２受信部１０７からの第２ＲＳＳＩ１５０を用いて送信アンテナ制御信号１６０を生成する。どちらのアンテナで送信しているかによって動作が異なるため、それぞれの場合について説明する。
【００４４】
＜第１アンテナで送信している場合＞
第１アンテナ１０１で送信している場合、先のスイッチ動作で述べたとおり、ブランチＡ１２０は第１アンテナ１０１を選択している。そして、第１受信部１０６で取得した第１ＲＳＳＩ１４０と第２受信部１０７で取得した第２ＲＳＳＩ１５０との差が既定値より大きく、第２ＲＳＳＩ１５０が第１ＲＳＳＩ１４０より高い場合は、送信アンテナとして切り換える判定を行う。一方、両者の差が既定値より小さい場合は、アンテナを切り換えない判定をする。また、上記の判定は、例えばタイマを使って一定時間ごとに行われる。
【００４５】
もちろん、受信レベル情報同士を比較してもよい。すなわち、第１受信部１０６で取得した第１ＲＳＳＩ１４０が第２ＲＳＳＩ１５０より高い、若しくは同等のときには、第１アンテナ１０１からの受信信号強度が強いことを意味するため、第１アンテナ１０１での送信をそのまま維持するように制御される。逆に、第１ＲＳＳＩ１４０が第２ＲＳＳＩ１５０より低いときには、第１アンテナ１０１が第２アンテナ１０２より受信信号強度が弱いことを表しているため、第１アンテナ１０１での送信から第２アンテナ１０２による送信への切換えが行われる。
【００４６】
＜第２アンテナで送信している場合＞
第２アンテナ１０２での送信を行っている場合、ブランチＡ１２０は第２アンテナ１０２を選択している。送信アンテナ切換えは、第１アンテナでの送信時と同様で、第１ＲＳＳＩ１４０と第２ＲＳＳＩ１５０との差が既定値より大きく、第２ＲＳＳＩ１５０が第１ＲＳＳＩ１４０より高い場合は、送信アンテナとして切り換える判定を行う。一方、両者の差が既定値より小さい場合は、アンテナを切り換えない判定をする。
【００４７】
もちろん、受信レベル情報同士を比較してもよい。すなわち、第１受信部１０６で取得した第１ＲＳＳＩ１４０が第２ＲＳＳＩ１５０より高い、若しくは同等のときには、第２アンテナ１０２からの受信信号強度が強いことを意味するため、第２アンテナ１０２での送信をそのまま維持するように制御される。逆に、第１ＲＳＳＩ１４０が第２ＲＳＳＩ１５０より低いときには、第２アンテナ１０２が第１アンテナ１０１より受信信号強度が弱いことを表しているため、第２アンテナ１０２での送信から第１アンテナ１０１による送信への切換えが行われる。
【００４８】
なお、上述したものとは別に以下のように構成することも可能である。
【００４９】
各アンテナの受信及び送信の効率に差がある場合等は、時と場合に応じて任意のＯＦＦＳＥＴを加えて判定するというように構成してもよく、その場合、効率の悪いアンテナで送信することを回避することができる。
【００５０】
また、受信が超弱電界となる環境においては、移動端末内部のノイズ成分が原因でＲＳＳＩが受信電力そのものとならない場合もあるので、送信アンテナ切換えの判定にはＲＳＳＩ以外に、希望波受信電力（ＲＳＣＰ（Received Signal Code Power））、信号対干渉雑音電力比（ＳＩＲ（Signal to Interference power Ratio）、あるいはＥＣ／Ｎのそれぞれを受信レベル情報として用いてもよい。また、受信レベル情報として、これらを組み合わせて用いてもよい。
【００５１】
また、ＲＳＳＩ等の受信レベル情報の値が一定値を下回った場合はどちらか一方のアンテナに固定する制御を行う、若しくは切換動作を一旦止める制御をするというように構成してもよい。
【００５２】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００５３】
上記の実施形態によれば、各受信部のＲＳＳＩを用いて送信アンテナの切換えを行うことにより、効率や指向性の良好なアンテナから送信することが可能となる。
【００５４】
また、従来の構成では受信専用アンテナを設けてダイバーシチ受信を行うため、送信は送受信兼用のアンテナでしか行うことができなかったが、上記の実施形態の構成を採ることにより、従来受信専用でしか使うことのできなかったアンテナを送受信兼用として使うことが可能となる。
【００５５】
一般に移動端末のアンテナの効率や指向性は使用時の周囲の状況（例えば、アンテナから人間の手や顔の距離、またアンテナ周辺の金属物からの距離等）で大きく変化する。そして、該変化は送信と受信とで大きくは変わらずに同様に変化する可能性が高く、受信レベルが高いアンテナは、送信の効率や指向性も高くなる可能性が高いと考えられる。
【００５６】
したがって、上記の実施形態の送信アンテナ切換方法を用いることにより、消費電流の低減と上り通信性能の向上とを図ることができ、消費電流の低減によって通信時間の伸長を測るのみではなく、電池の容量を下げることが可能となるうえ、簡単な構成で送信アンテナの切換えを実現できるので、端末の小型化、低コスト化を図ることもできる。
【図面の簡単な説明】
【００５７】
【図１】本発明の実施形態に係る無線通信装置の構成を示したブロック図である。
【図２】本発明の実施形態に係る無線通信装置のアンテナスイッチの内部構成を示した図である。
【図３】本発明の実施形態に係る無線通信装置における具体的なスイッチ動作を説明するための図である。
【図４】ダイバーシチ受信機能を備える移動端末の構成を示したブロック図で、従来のアンテナ切換方法を説明するための図である。
【図５】ダイバーシチ受信機能を備える移動端末の構成を示したブロック図で、本発明を適用せずに送信アンテナ切替えを行う回路例を説明するための図である。
【符号の説明】
【００５８】
１００，４００，５００    移動端末
１０１，４０１，５０１    第１アンテナ
１０２，４０２，５０２    第２アンテナ
１０３    アンテナスイッチ
１０４    アンテナ共用器
１０５，４０５，５０５    送信部
１０６，４０６，５０６    第１受信部
１０７，４０７，５０７    第２受信部
１０８，４０８，５０８    拡散部
１０９，４０９，５０９    逆拡散部
１１０，４１０，５１０    ＣＰＵ
１２０，４２０    ブランチＡ
１３０，４３０    ブランチＢ
１４０    第１ＲＳＳＩ
１５０    第２ＲＳＳＩ
１６０    送信アンテナ制御信号
２００    スイッチコントロール部
２１０    第１ＳＷ
２２０    第２ＳＷ
２３０    第３ＳＷ
２４０    第４ＳＷ
３００    基地局
５１１    第１アンテナ共用器
５１２    第２アンテナ共用器
５１３    送信経路スイッチ
【図１】
2008042582.tif 000003
【図２】
2008042582.tif 000004
【図３】
2008042582.tif 000005
【図４】
2008042582.tif 000006
【図５】
2008042582.tif 000007